(57)【要約】【課題】液体が吸引されにくい状況を生じにくい口腔洗浄装置を提供する。【解決手段】口腔洗浄装置１は、液体タンク１０、吸水ホース３０、加圧ポンプ２５、ノズル連結路２８、および、吐出ノズル４０を有する。吸水ホース３０は、可撓性を有する。吸水ホース３０は、ポンプ接続端部３１および吸液部３２を有する。ポンプ接続端部３１は、吸水ホース３０の一方の端部に形成されている。吸液部３２は、吸水ホース３０において、ポンプ接続端部３１と反対側の端部に形成されている。吸液部３２は、液体タンク１０の底壁１１Ａよりも上方に存在している。加圧ポンプ２５は、吸水ホース３０を介して液体タンク１０から液体を吸引し、ノズル連結路２８を介して吐出ノズル４０に液体を吐出する。ノズル連結路２８は、加圧ポンプ２５と吐出ノズル４０とを連結している。吐出ノズル４０は、加圧ポンプ２５から吐出された液体を外部に放出することが可能な構造を有する。【選択図】図１
2015002921.tif 000002
【特許請求の範囲】
【請求項１】
口腔内の汚れを除去する口腔洗浄装置であって、
前記口腔洗浄装置は、液体タンク、吸水ホース、ノズル連結路、加圧ポンプ、および、吐出ノズルを有し、
前記液体タンクは、液体を収容することが可能な構造を有し、
前記吸水ホースは、可撓性を有し、ポンプ接続端部および吸液部を有し、
前記ポンプ接続端部は、前記吸水ホースの一方の端部に形成され、前記加圧ポンプと連結され、
前記吸液部は、前記吸水ホースにおいて、前記ポンプ接続端部と反対側の端部に形成され、前記液体タンクの底壁よりも上方に存在し、
前記ノズル連結路は、前記加圧ポンプと前記吐出ノズルとを連結し、
前記加圧ポンプは、前記吸水ホースを介して前記液体タンクから液体を吸引し、吸引した液体を前記ノズル連結路を介して前記吐出ノズルに吐出し、
前記吐出ノズルは、前記加圧ポンプから吐出された液体を外部に放出することが可能な構造を有する
口腔洗浄装置。
【請求項２】
前記口腔洗浄装置は、ウェイトバランサーを有し、
前記ウェイトバランサーは、前記吸液部に取り付けられている
請求項１に記載の口腔洗浄装置。
【請求項３】
前記吸水ホースにおける前記ポンプ接続端部と前記吸液部との間の部分であるホース本体は、螺旋形状を有する
請求項１または２に記載の口腔洗浄装置。
【請求項４】
前記ホース本体の螺旋形状の巻き径は、前記ポンプ接続端部から前記吸液部に向かうにつれて大きくなっている、または、前記ポンプ接続端部から前記吸液部に向かうにつれて小さくなっている
請求項３に記載の口腔洗浄装置。
【発明の詳細な説明】
【技術分野】
【０００１】
本発明は、口腔内の汚れを除去する口腔洗浄装置に関する。
【背景技術】
【０００２】
特許文献１は、従来の口腔洗浄装置の一例を開示している。図７は、特許文献１の口腔洗浄装置５００を示している。口腔洗浄装置５００は、使用者が片手で把持することが可能なハンディタイプの口腔洗浄装置としての形態を有する。口腔洗浄装置５００は、本体ハウジング５１０、液体タンク５２０、吸水ホース５３０、加圧ポンプ５４０、および、吐出ノズル５５０を有する。
【０００３】
本体ハウジング５１０は、加圧ポンプ５４０を収容している。
液体タンク５２０は、液体を収容している。
吸水ホース５３０は、液体タンク５２０の液体を流通させる構造を有する。吸水ホース５３０は、口腔洗浄装置５００の長手方向に延伸する形状を有する。吸水ホース５３０は、ポンプ接続端部５３１および吸液部５３２を有する。
【０００４】
ポンプ接続端部５３１は、加圧ポンプ５４０と連結されている。吸液部５３２は、液体タンク５２０の液体に浸されている。
加圧ポンプ５４０は、吐出ノズル５５０と連結されている。加圧ポンプ５４０は、液体タンク５２０から吸引した液体を吐出ノズル５５０に吐出する。
【０００５】
吐出ノズル５５０は、加圧ポンプ５４０から吐出された液体を外部に放出することが可能な構造を有する。
図８に示されるように、使用者は、一例として、下顎の歯を洗浄するとき、吐出ノズル５５０を下方に向けて口腔洗浄装置５００を使用する。このとき、吸液部５３２は、ポンプ接続端部５３１よりも上方に存在する。口腔洗浄装置５００は、傾いた状態で使用されたときに、液体タンク５２０に対する液面の位置が変化する。
【先行技術文献】
【特許文献】
【０００６】
【特許文献１】特公平７−２８８８１号公報
【発明の概要】
【発明が解決しようとする課題】
【０００７】
口腔洗浄装置５００は、一例として、吸液部５３２がポンプ接続端部５３１よりも上方に存在する位置まで傾いた状態で使用されたとき、吸液部５３２が液体に浸されていない状態が生じるおそれがある。吸液部５３２が液体に浸されていないとき、加圧ポンプ５４０は、液体を吸引しにくくなる。
【０００８】
本発明は、以上の背景をもとに創作されたものであり、液体を吸引しにくい状況が生じにくい口腔洗浄装置を提供することを目的とする。
【課題を解決するための手段】
【０００９】
（１）本口腔洗浄装置は、口腔内の汚れを除去する口腔洗浄装置であって、前記口腔洗浄装置は、液体タンク、吸水ホース、ノズル連結路、加圧ポンプ、および、吐出ノズルを有し、前記液体タンクは、液体を収容することが可能な構造を有し、前記吸水ホースは、可撓性を有し、ポンプ接続端部および吸液部を有し、前記ポンプ接続端部は、前記吸水ホースの一方の端部に形成され、前記加圧ポンプと連結され、前記吸液部は、前記吸水ホースにおいて、前記ポンプ接続端部と反対側の端部に形成され、前記液体タンクの底壁よりも上方に存在し、前記ノズル連結路は、前記加圧ポンプと前記吐出ノズルとを連結し、前記加圧ポンプは、前記吸水ホースを介して前記液体タンクから液体を吸引し、吸引した液体を前記ノズル連結路を介して前記吐出ノズルに吐出し、前記吐出ノズルは、前記加圧ポンプから吐出された液体を外部に放出することが可能な構造を有する。
【００１０】
上記口腔洗浄装置の吸水ホースは可撓性を有する。このため、液体タンクの底壁が吸液部よりも上方に存在する位置まで口腔洗浄装置が傾けられたとき、吸水ホースは、自重により撓む。このため、吸水ホースは、吸液部の位置が液体タンクの底壁から離間する方向に変化する。このため、口腔洗浄装置は、傾いたときに吸液部の位置が変化しない構成と比較して、液体タンクに対する液面の位置が変化したとき、吸液部が液中に存在する可能性を高めることができる。このため、上記口腔洗浄装置は、液体を吸引しにくい状況が生じにくい。
【００１１】
（２）上記口腔洗浄装置の一形態は、ウェイトバランサーを有し、前記ウェイトバランサーは、前記吸液部に取り付けられている。
（３）上記口腔洗浄装置の一形態において、前記吸水ホースにおける前記ポンプ接続端部と前記吸液部との間の部分であるホース本体は、螺旋形状を有する。
【００１２】
（４）上記口腔洗浄装置の一形態において、前記ホース本体の螺旋形状の巻き径は、前記ポンプ接続端部から前記吸液部に向かうにつれて大きくなっている、または、前記ポンプ接続端部から前記吸液部に向かうにつれて小さくなっている。
【発明の効果】
【００１３】
本口腔洗浄装置は、液体を吸引しにくい状況が生じにくくなる。
【図面の簡単な説明】
【００１４】
【図１】第１実施形態の口腔洗浄装置の部分断面図。
【図２】第１実施形態の口腔洗浄装置が使用されている最中の口腔洗浄装置の部分断面図。
【図３】第２実施形態の吸水ホースおよびウェイトバランサーの正面図。
【図４】第２実施形態の吸水ホースおよびウェイトバランサーに関する図であって、吸水ホースが撓んだ状態の吸水ホースおよびウェイトバランサーの正面図。
【図５】第３実施形態の吸水ホースの正面図。
【図６】第４実施形態の吸水ホースの正面図。
【図７】従来の口腔洗浄装置の断面図。
【図８】従来の口腔洗浄装置が使用されている最中の口腔洗浄装置の断面図。
【発明を実施するための形態】
【００１５】
（第１実施形態）
図１を参照して、口腔洗浄装置１の構成について説明する。
口腔洗浄装置１は、使用者が片手で把持することが可能なハンディタイプの口腔洗浄装置としての形態を有する。口腔洗浄装置１は、高さ方向Ｘを規定している。高さ方向Ｘは、口腔洗浄装置１の長手方向を示している。高さ方向Ｘは、上方向ＸＡおよび下方向ＸＢを有する。上方向ＸＡは、高さ方向Ｘにおいて、液体タンク１０から吐出ノズル４０に向かう方向を示している。下方向ＸＢは、高さ方向Ｘにおいて、吐出ノズル４０から液体タンク１０に向かう方向を示している。口腔洗浄装置１は、液体タンク１０、供給部２０、吸水ホース３０、および、吐出ノズル４０を有する。
【００１６】
液体タンク１０は、洗浄液５０を収容することが可能な構造を有する。洗浄液５０は、口腔内の細菌を除菌する成分を含む。液体タンク１０は、タンクハウジング１１および補給口１２を有する。
【００１７】
タンクハウジング１１は、断面が楕円の筒形状を有する。タンクハウジング１１は、供給部２０の供給部ハウジング２１に取り付けられている。タンクハウジング１１は、供給部ハウジング２１から取り外すことが可能な構造を有する。タンクハウジング１１は、底壁１１Ａを有する。底壁１１Ａは、タンクハウジング１１において、補給口１２よりも下方向ＸＢに形成されている。
【００１８】
補給口１２は、タンクハウジング１１に形成されている。補給口１２は、口腔洗浄装置１の外部から洗浄液５０をタンクハウジング１１の内部に補給することが可能な構造を有する。
【００１９】
供給部２０は、洗浄液５０を吐出ノズル４０に供給する。供給部２０は、供給部ハウジング２１、電源２２、電源回路２３、駆動回路２４、加圧ポンプ２５、スイッチ２６、タンク連結路２７、および、ノズル連結路２８を有する。
【００２０】
供給部ハウジング２１は、断面が楕円の筒形状を有する。供給部ハウジング２１は、電源２２、電源回路２３、駆動回路２４、加圧ポンプ２５、タンク連結路２７、および、ノズル連結路２８を内部に収容している。
【００２１】
電源２２は、電源回路２３と接続されている。電源２２は、電源回路２３に電力を供給する。
電源回路２３は、駆動回路２４と接続されている。電源回路２３は、電源２２から供給された電力を加圧ポンプ２５を駆動するための電力に変換する。
【００２２】
駆動回路２４は、加圧ポンプ２５と接続されている。駆動回路２４は、加圧ポンプ２５のモーター（図示略）に電力を供給することにより、加圧ポンプ２５を駆動する。
加圧ポンプ２５は、洗浄液５０を吐出ノズル４０に吐出する機能を有する。加圧ポンプ２５としては、容積型の回転ポンプであるギアポンプが用いられている。
【００２３】
スイッチ２６は、駆動回路２４と接続されている。スイッチ２６は、駆動回路２４のオンとオフとを切り替える。スイッチ２６の一部は、供給部ハウジング２１から露出している。
【００２４】
タンク連結路２７は、吸水ホース３０と加圧ポンプ２５とを連結している。ノズル連結路２８は、加圧ポンプ２５と吐出ノズル４０とを連結している。
吸水ホース３０は、可撓性を有する。吸水ホース３０は、一例として、シリコーンゴムにより形成されている。吸水ホース３０は、洗浄液５０を流通させるための構造を有する。吸水ホース３０は、ポンプ接続端部３１、吸液部３２、および、ホース本体３３を有する。
【００２５】
ポンプ接続端部３１は、タンク連結路２７と連結されている。ポンプ接続端部３１は、高さ方向Ｘに延伸する形状を有する。ポンプ接続端部３１は、ホース本体３３と連続して形成されている。
【００２６】
吸液部３２は、吸水ホース３０において、ポンプ接続端部３１と反対側の端部に形成されている。吸液部３２は、ホース本体３３と連続して形成されている。吸液部３２は、液体タンク１０の内部に存在している。吸液部３２は、洗浄液５０に浸されている。
【００２７】
ホース本体３３は、螺旋形状を有する。ホース本体３３は、予め螺旋形状に成形されたものが用いられている。
吐出ノズル４０は、供給部ハウジング２１において、液体タンク１０が取り付けられている面と反対側の面に取り付けられている。吐出ノズル４０は、加圧ポンプ２５から吐出された洗浄液５０を口腔洗浄装置１の外部に放出することが可能な構造を有する。
【００２８】
図２を参照して、口腔洗浄装置１の作用について説明する。
スイッチ２６は、使用者により操作されることによりオン位置に移動する。このため、駆動回路２４がオン動作とされる。
【００２９】
駆動回路２４は、加圧ポンプ２５を動作させる。
加圧ポンプ２５は、液体タンク１０から洗浄液５０を吸引する。洗浄液５０は、吸液部３２から吸引される。吸液部３２から吸引された洗浄液５０は、ホース本体３３、ポンプ接続端部３１、および、タンク連結路２７の順に通過する。
【００３０】
タンク連結路２７を通過した洗浄液５０は、加圧ポンプ２５に取り込まれる。加圧ポンプ２５は、洗浄液５０をノズル連結路２８に吐出する。ノズル連結路２８に吐出された洗浄液５０は、吐出ノズル４０に流れ込む。吐出ノズル４０に流れ込んだ洗浄液５０は、使用者６０の口腔内に噴射される。
【００３１】
口腔洗浄装置１は、使用者６０に把持されることにより、傾いた状態で使用されることがある。使用者６０は、一例として、下顎の歯を洗浄するとき、吐出ノズル４０を下方に向けて口腔洗浄装置１を使用する。このとき、液体タンク１０の底壁１１Ａは、吸液部３２よりも上方に存在する。
【００３２】
底壁１１Ａが吸液部３２よりも上方に存在しているとき、吸水ホース３０は、自重により撓む。このため、吸液部３２は、液体タンク１０の高さ方向Ｘにおける位置が上方向ＸＡに変化する。すなわち、吸液部３２は、液体タンク１０の底壁１１Ａから離間する。
【００３３】
口腔洗浄装置１は、以下の効果を奏する。
（１）口腔洗浄装置１の吸水ホース３０は可撓性を有する。このため、液体タンク１０の底壁１１Ａが吸液部３２よりも上方に存在する位置まで口腔洗浄装置１が傾けられたとき、吸水ホース３０は、自重により撓む。このため、吸水ホース３０は、吸液部３２の位置が液体タンク１０の底壁１１Ａから離間する方向に変化する。このため、口腔洗浄装置１は、傾くことにより液体タンク１０に対する液面の位置が変化したときに吸液部３２の位置が変化しない構成と比較して、吸液部３２が洗浄液５０中に存在する可能性を高めることができる。このため、口腔洗浄装置１は、洗浄液５０を吸引しにくい状況が生じにくい。
【００３４】
（２）ホース本体３３は、螺旋形状を有するため、液体タンク１０が傾いたときに螺旋形状に沿って撓む。このため、口腔洗浄装置１は、吸水ホース３０が直線形状である構成と比較して、液体タンク１０が傾いたときに、液体タンク１０の高さ方向Ｘにおける吸液部３２の位置が上方向ＸＡに変化しやすい。このため、口腔洗浄装置１は、洗浄液５０を吸引しにくい状況が生じにくい。
【００３５】
（第２実施形態）
第２実施形態の口腔洗浄装置１は、次の点において第１実施形態の口腔洗浄装置１と相違し、その他の点において第１実施形態の口腔洗浄装置１と同じ構成を有する。第１実施形態の口腔洗浄装置１は、図２に示される吸水ホース３０を有する。第２実施形態の口腔洗浄装置１は、図３および図４に示される吸水ホース２３０およびウェイトバランサー２４０を有する。なお、第２実施形態の口腔洗浄装置１において、第１実施形態の口腔洗浄装置１と共通する構成については同一の符号を付してその説明の一部または全部を省略する。
【００３６】
図３を参照して、吸水ホース２３０およびウェイトバランサー２４０の構成について説明する。
吸水ホース２３０は、可撓性を有する。吸水ホース２３０は、一例として、エチレンプロピレンゴムにより形成されている。吸水ホース２３０は、洗浄液５０を流通させるための構造を有する。吸水ホース２３０は、ポンプ接続端部２３１、吸液部２３２、および、ホース本体２３３を有する。
【００３７】
ポンプ接続端部２３１は、タンク連結路２７と連結されている。ポンプ接続端部２３１は、高さ方向Ｘに延伸する形状を有する。ポンプ接続端部２３１は、ホース本体２３３と連続して形成されている。
【００３８】
吸液部２３２は、吸水ホース２３０において、ポンプ接続端部２３１と反対側の端部に形成されている。吸液部２３２は、ホース本体２３３と連続して形成されている。
ホース本体２３３は、螺旋形状を有する。ホース本体２３３は、予め螺旋形状に成形されたものが用いられている。ホース本体２３３は、第１螺旋部２３３Ａ、第２螺旋部２３３Ｂ、第３螺旋部２３３Ｃ、および、第４螺旋部２３３Ｄを有する。
【００３９】
第１螺旋部２３３Ａは、ポンプ接続端部２３１および第２螺旋部２３３Ｂと連続して形成されている。第１螺旋部２３３Ａは、第１巻き径ＲＡを有する。
第２螺旋部２３３Ｂは、第３螺旋部２３３Ｃと連続して形成されている。第２螺旋部２３３Ｂは、第２巻き径ＲＢを有する。第２巻き径ＲＢは、第１巻き径ＲＡよりも大きい。
【００４０】
第３螺旋部２３３Ｃは、第４螺旋部２３３Ｄと連続して形成されている。第３螺旋部２３３Ｃは、第３巻き径ＲＣを有する。第３巻き径ＲＣは、第１巻き径ＲＡおよび第２巻き径ＲＢよりも大きい。
【００４１】
第４螺旋部２３３Ｄは、吸液部２３２と連続して形成されている。第４螺旋部２３３Ｄは、第４巻き径ＲＤを有する。第４巻き径ＲＤは、第１巻き径ＲＡ、第２巻き径ＲＢ、および、第３巻き径ＲＣよりも大きい。
【００４２】
ウェイトバランサー２４０は、筒形状を有する。ウェイトバランサー２４０は、一例として、防錆性を有するステンレス鋼により形成されている。ウェイトバランサー２４０の重量は、吸水ホース２３０の重量よりも重い。ウェイトバランサー２４０は、バランサー本体２４１およびバランサー吸液部２４２を有する。
【００４３】
バランサー本体２４１は、吸液部２３２に取り付けられている。バランサー吸液部２４２は、バランサー本体２４１に形成されている。バランサー吸液部２４２は、吸液部２３２と外部と互いに連通している。
【００４４】
図４を参照して、口腔洗浄装置１の作用について説明する。
吸水ホース２３０は、液体タンクの底壁１１Ａが吸液部３２よりも上方に存在する位置まで口腔洗浄装置１が傾けられたとき、自重およびウェイトバランサー２４０の重みにより撓む。このため、吸液部２３２は、液体タンク１０の高さ方向Ｘにおける位置が上方向ＸＡに変化する。このとき、ホース本体２３３のうち、第３螺旋部２３３Ｃは、第４螺旋部２３３Ｄの内方に収容される。第２螺旋部２３３Ｂは、第３螺旋部２３３Ｃの内方に収容される。第１螺旋部２３３Ａは、第２螺旋部２３３Ｂの内方に収容される。
【００４５】
口腔洗浄装置１は、上記（１）および（２）の効果に加えて以下の効果を奏する。
（３）口腔洗浄装置１の吸水ホース２３０は、自重およびウェイトバランサー２４０の重みにより撓む。このため、口腔洗浄装置１の吸水ホース２３０は、自重のみで撓む構成と比較して、吸液部２３２の液体タンク１０の上方向ＸＡへの撓みによる変形量が大きくなる。このため、口腔洗浄装置１は、洗浄液５０を吸引しにくい状況が生じにくい旨の効果がより高くなる。
【００４６】
（４）口腔洗浄装置１は、吸水ホース２３０が撓んだとき、第４螺旋部２３３Ｄの内方に第１螺旋部２３３Ａ、第２螺旋部２３３Ｂ、および、第３螺旋部２３３Ｃが収容される。このため、口腔洗浄装置１は、第１螺旋部２３３Ａ、第２螺旋部２３３Ｂ、第３螺旋部２３３Ｃ、および、第４螺旋部２３３Ｄの巻き径が同一である構成と比較して、吸液部２３２の上方向ＸＡへの変化量を増加させることができる。
【００４７】
（第３実施形態）
第３実施形態の口腔洗浄装置１は、次の点において第１実施形態の口腔洗浄装置１と相違し、その他の点において第１実施形態の口腔洗浄装置１と同じ構成を有する。第１実施形態の口腔洗浄装置１は、図１および図２に示される吸水ホース３０を有する。第３実施形態の口腔洗浄装置１は、図５に示される吸水ホース３３０を有する。なお、第３実施形態の口腔洗浄装置１において、第１実施形態の口腔洗浄装置１と共通する構成については同一の符号を付してその説明の一部または全部を省略する。
【００４８】
図５を参照して、吸水ホース３３０の構成について説明する。
吸水ホース３３０は、可撓性を有する。吸水ホース３３０は、一例として、エラストマー樹脂により形成されている。吸水ホース３３０は、洗浄液５０を流通させるための構造を有する。吸水ホース３３０は、ポンプ接続端部３３１、吸液部３３２、および、ホース本体３３３を有する。
【００４９】
ポンプ接続端部３３１は、タンク連結路２７と連結されている。ポンプ接続端部３３１は、高さ方向Ｘに延伸する形状を有する。ポンプ接続端部３３１は、ホース本体３３３と連続して形成されている。
【００５０】
吸液部３３２は、吸水ホース３３０において、ポンプ接続端部３３１と反対側の端部に形成されている。吸液部３３２は、ホース本体３３３と連続して形成されている。
ホース本体３３３は、螺旋形状を有する。ホース本体３３３は、予め螺旋形状に成形されたものが用いられている。ホース本体３３３は、第１螺旋部３３３Ａ、第２螺旋部３３３Ｂ、および、第３螺旋部３３３Ｃを有する。
【００５１】
第１螺旋部３３３Ａは、ポンプ接続端部３３１および第２螺旋部３３３Ｂと連続して形成されている。
第２螺旋部３３３Ｂは、第３螺旋部３３３Ｃと連続して形成されている。
【００５２】
第２螺旋部３３３Ｂと第１螺旋部３３３Ａとは、第１螺旋部間距離ＬＡを有する。第１螺旋部間距離ＬＡは、第１螺旋部３３３Ａの巻き始めの部分と第２螺旋部３３３Ｂの巻き始めの部分との距離を示している。
【００５３】
第３螺旋部３３３Ｃと第２螺旋部３３３Ｂとは、第２螺旋部間距離ＬＢを有する。第２螺旋部間距離ＬＢは、第２螺旋部３３３Ｂの巻き始めの部分と第３螺旋部３３３Ｃの巻き始めの部分との距離を示している。第２螺旋部間距離ＬＢは、第１螺旋部間距離ＬＡよりも長い。
【００５４】
本実施形態の口腔洗浄装置１は、上記（１）、（２）、および、（４）の効果を奏する。
（第４実施形態）
第４実施形態の口腔洗浄装置１は、次の点において第１実施形態の口腔洗浄装置１と相違し、その他の点において第１実施形態の口腔洗浄装置１と同じ構成を有する。第１実施形態の口腔洗浄装置１は、図１および図２に示される吸水ホース３０を有する。第４実施形態の口腔洗浄装置１は、図６に示される吸水ホース３３０および圧縮ばね４４０を有する。なお、第４実施形態の口腔洗浄装置１において、第１実施形態の口腔洗浄装置１と共通する構成については同一の符号を付してその説明の一部または全部を省略する。
【００５５】
図６を参照して、吸水ホース４３０および圧縮ばね４４０の構成について説明する。
吸水ホース４３０は、可撓性を有する。吸水ホース４３０は、一例として、ポリプロピレン樹脂により形成されている。吸水ホース４３０は、洗浄液５０を流通させるための構造を有する。吸水ホース４３０は、ポンプ接続端部４３１、吸液部４３２、および、ホース本体４３３を有する。
【００５６】
ポンプ接続端部４３１は、タンク連結路２７と連結されている。ポンプ接続端部４３１は、高さ方向Ｘに延伸する形状を有する。ポンプ接続端部４３１は、ホース本体４３３と連続して形成されている。
【００５７】
吸液部４３２は、吸水ホース４３０において、ポンプ接続端部４３１と反対側の端部に形成されている。吸液部４３２は、ホース本体４３３と連続して形成されている。
ホース本体４３３は、螺旋形状を有する。ホース本体４３３は、直線状のホース本体４３３に圧縮ばね４４０が挿入されることにより、螺旋形状に成形されている。ホース本体４３３は、第１螺旋部４３３Ａ、第２螺旋部４３３Ｂ、および、第３螺旋部４３３Ｃを有する。
【００５８】
第１螺旋部４３３Ａは、ポンプ接続端部４３１および第２螺旋部４３３Ｂと連続して形成されている。第１螺旋部４３３Ａは、第１巻き径ＲＡを有する。
第２螺旋部４３３Ｂは、第３螺旋部４３３Ｃと連続して形成されている。第２螺旋部４３３Ｂは、第２巻き径ＲＢを有する。第２巻き径ＲＢは、第１巻き径ＲＡよりも大きい。
【００５９】
第３螺旋部４３３Ｃは、第３巻き径ＲＣを有する。第３巻き径ＲＣは、第１巻き径ＲＡおよび第２巻き径ＲＢよりも大きい。
圧縮ばね４４０は、吸水ホース４３０の内部に挿入されている。圧縮ばね４４０のうち、ホース本体４３３の内部に存在する部分は、ホース本体４３３の螺旋形状と対応する形状に折り曲げられている。
【００６０】
本実施形態の口腔洗浄装置１は、上記（１）、（２）、および、（４）の効果を奏する。
（その他の実施形態）
本口腔洗浄装置は、第１実施形態〜第４実施形態とは異なるその他の実施形態を含む。その他の実施形態は、一例として、以下に示される第１実施形態〜第４実施形態の変形例としての形態を含む。なお、以下の各変形例は、技術的に矛盾しない範囲において互いに組み合わせることができる。
【００６１】
・第１実施形態、第３実施形態、および、第４実施形態の口腔洗浄装置１は、ウェイトバランサー２４０を有さない。ただし、口腔洗浄装置１の構成は、第１実施形態、第３実施形態、および、第４実施形態に例示された内容に限られない。変形例の口腔洗浄装置は、ウェイトバランサー２４０が吸液部に取り付けられている。
【００６２】
・第１実施形態の吸水ホース３０は、シリコーンゴムにより形成されている。第２実施形態の吸水ホース２３０は、エチレンプロピレンゴムにより形成されえいる。第３実施形態の吸水ホース３３０は、エラストマー樹脂により形成されている。第４実施形態の吸水ホース４３０は、ポリプロピレン樹脂により形成されている。ただし、吸水ホースの材料は、第１実施形態〜第４実施形態に例示された内容に限られない。変形例の吸水ホースは、少量のジエンモノマーを共重合したエチレンプロピレンゴム、ポリエチレン、ポリウレタン、天然ゴム、または、ウレタン樹脂等の可撓性を有する材料により形成されている。
【００６３】
・第１実施形態の加圧ポンプ２５としては、容積型の回転ポンプであるギアポンプが用いられている。ただし、加圧ポンプ２５の構成は、第１実施形態に例示された内容に限られない。変形例の加圧ポンプとしては、容積型の往復ポンプであるピストンポンプ、プランジャーポンプ、または、ダイヤフラムポンプを用いることができる。
【００６４】
・第２実施形態のウェイトバランサー２４０は、ステンレス鋼により形成されている。ただし、ウェイトバランサー２４０の材料は、実施形態に例示された内容に限られない。変形例のウェイトバランサーは、真鍮等の金属により形成されている。
【００６５】
・第２実施形態の吸水ホース２３０のホース本体２３３は、第１螺旋部２３３Ａから第４螺旋部２３３Ｄに向かうにつれて、巻き径が大きくなっている。ただし、吸水ホース２３０の構成は、第２実施形態に例示された内容に限られない。変形例の吸水ホースは、第１螺旋部から第４螺旋部に向かうにつれて巻き径が小さくなっている。
【符号の説明】
【００６６】
１…口腔洗浄器、１０…液体タンク、１１Ａ…底壁、２５…加圧ポンプ、２８…ノズル連結路、３０…吸水ホース、３１…ポンプ接続端部、３２…吸液部、４０…吐出ノズル、２３０…吸水ホース、２３１…ポンプ接続端部、２３２…吸液部、２４０…ウェイトバランサー、３３０…吸水ホース、３３１…ポンプ接続端部、３３２…吸液部、４３０…吸水ホース、４３１…ポンプ接続端部、４３２…吸液部。
【図１】
2015002921.tif 000003
【図２】
2015002921.tif 000004
【図３】
2015002921.tif 000005
【図４】
2015002921.tif 000006
【図５】
2015002921.tif 000007
【図６】
2015002921.tif 000008
【図７】
2015002921.tif 000009
【図８】
2015002921.tif 000010